(57)【要約】【課題】見本帳を片手で二冊同時に持ち運ぶ際の持ち運び性の向上を図ること。【解決手段】見本帳１，１Ａの握り部１２，１２を背表紙４，４の幅方向の中央の位置から裏表紙８あるいは表紙６寄りの位置へ移動可能に構成する。これにより、見本帳１，１Ａを片手で同時に持ち運ぶ場合には、各見本帳１，１Ａにおいて握り部１２，１２同士の距離を小さくすることができる。この結果、見本帳１，１Ａを片手で同時に持ち運ぶ場合には、見本帳１，１Ａの傾きを抑えて見本帳１，１Ａが広がることを抑制し得て持ち運び性の向上を図ることができると共に、持ち運ぶ際に手に掛かるストレスを低減し得て把持性の向上を図ることができる。もとより、見本帳１，１Ａを単独で持ち運ぶ場合には、握り部１２，１２を背表紙４，４の幅方向の中央の位置に保持可能な構成であるため、見本帳１，１Ａを単独で持ち運ぶ際の持ち運び性も維持され得る。【選択図】図２８
2019123199.tif 000002
【特許請求の範囲】
【請求項１】
見本帳の背表紙に取付けられ該見本帳を持ち運ぶために用いられる見本帳用把手であって、
柄部と、該柄部の両端部に一体に設けられた一対の軸部と、を有する握り部と、
前記一対の軸部を回転可能に支持する一対の第１および第２軸受部と、該一対の第１および第２軸受部を連通接続する一対の連通接続部と、を有する台座と、
前記台座を前記背表紙に取り付けるための止め具と、
を備え、
前記一対の軸部は、同軸線上に配置されると共に自由端部において対向するよう構成されており、
前記一対の第２軸受部は、前記一対の第１軸受部に並列配置されており、
前記一対の連通接続部は、前記一対の軸部が前記一対の第１軸受部と前記一対の第２軸受部との間を往来可能な通路として構成されている
見本帳用把手。
【請求項２】
前記一対の第１軸受部と前記一対の連通接続部との第１境界部には、前記一対の軸部が前記一対の第１軸受部から前記連通接続部に移動することを規制可能な一対の第１規制部が設けられており、
前記一対の第２軸受部と前記一対の連通接続部との第２境界部には、前記一対の軸部が前記一対の第２軸受部から前記一対の連通接続部に移動することを規制可能な一対の第２規制部が設けられており、
前記第１および第２規制部は、弾性を有するよう構成されている
請求項１に記載の見本帳用把手。
【請求項３】
前記連通接続部は、前記一対の軸部の直径と略同じ大きさの深さを有する凹部として構成されており、
前記一対の第１および第２規制部は、前記一対の第１および第２境界部において前記凹部の深さが浅くなる方向に突出する突起として構成されている
請求項２に記載の見本帳用把手。
【請求項４】
前記柄部は、長尺状の柄主体と、一端が該柄主体に一体に接続されると共に他端に前記一対の軸部が一体に設けられた一対の脚部と、を有する略Ｕ字状に構成されており、
前記柄主体は、長手方向に沿う方向の一方から見た場合に、前記一対の脚部の延出方向とは反対方向に向かうのに伴って厚みが漸次小さくなる方向に傾斜する傾斜面を有するよう構成されている
請求項１ないし３のいずれか１項に記載の見本帳用把手。
【請求項５】
前記傾斜面は、前記柄主体を前記長手方向に沿う方向の一方側から見た場合に、前記柄主体の厚み方向の両側に設けられている
請求項４に記載の見本帳用把手。
【請求項６】
背表紙と、該背表紙の幅方向の一端に一体に接続された表紙と、前記背表紙の幅方向の他端に一体に接続された裏表紙と、を有する見本帳本体と、
前記見本帳本体に取付けられる請求項４または５に記載の見本帳用把手と、
を備える見本帳であって、
前記握り部は、前記傾斜面が前記第２軸受部側を向くよう前記台座に取り付けられており、
前記台座は、前記一対の第１軸受部が前記背表紙の幅方向の中央に配置されるよう取り付けられている
見本帳。
【発明の詳細な説明】
【技術分野】
【０００１】
本発明は、見本帳の背表紙に取付けられ当該見本帳を持ち運ぶために用いられる見本帳用把手および見本帳に関する。
【背景技術】
【０００２】
特開２００４−１４２３９３号公報（特許文献１）には、樹脂製のアーチ状のハンドルと、当該ハンドルを回転自在に保持する樹脂製の台座と、当該台座の一対の取付軸を挿入するための一対の挿入孔を有する樹脂製の止め具と、を備え、一対の取付軸を紙製の見本帳本体の背表紙に形成した取付孔に挿入すると共に、当該背表紙の内側に突出した一対の取付軸に止め具を挿入し、当該状態で止め具を一対の取付軸の軸線方向に対して直角な方向にスライド移動させて止め具を一対の取付軸に嵌合させることによって、台座と止め具との間に見本帳本体の背表紙を挟み込む態様で見本帳に取付けられるように構成された見本帳用把手が記載されている。
【０００３】
当該把手では、金属製のタッピング、インサートナット、小ネジなどを用いることなく見本帳用把手を見本帳本体に取り付けることができる。即ち、紙と樹脂のみで見本帳を構成できるため、使用済みの見本帳を産業廃棄物として焼却する際に、煩雑な分別作業が必要なくなり、廃棄作業の手間を低減できると共に廃棄処理に掛かるコストの低減を図ることができる。
【先行技術文献】
【特許文献】
【０００４】
【特許文献１】特開２００４−１４２３９３号公報
【発明の概要】
【発明が解決しようとする課題】
【０００５】
ところで、見本帳は、営業活動のために顧客を訪問する営業マンによって持ち運ばれることがあり、片手で同時に二冊の見本帳が持ち運ばれるような場合もある。ここで、把手は、持ち運び性の観点から見本帳の背表紙の幅方向の略中央部に取付けられることが一般的であるため、二冊同時に持ち運ぶ場合、背表紙同士が互いに近づく方向に傾斜して表紙および裏表紙が開いて略扇形状に広がってしまい、持ち運び性が低下してしまう。上述した公報に記載の把手では、片手で二冊同時に持ち運ぶ際の持ち運び性については言及されておらず、この点において、なお改良の余地がある。
【０００６】
本発明は、上記に鑑みてなされたものであり、見本帳を片手で二冊同時に持ち運ぶ際の持ち運び性の向上に資する見本帳用把手および見本帳を提供することを目的の１つとする。
【課題を解決するための手段】
【０００７】
本発明の見本帳用把手および見本帳は、上述の目的を達成するために以下の手段を採った。
【０００８】
本発明に係る見本帳用把手の好ましい形態によれば、見本帳の背表紙に取付けられ当該見本帳を持ち運ぶために用いられる見本帳用把手が構成される。当該見本帳用把手は、握り部と、台座と、止め具と、を備えている。握り部は、柄部と、当該柄部の両端部に一体に設けられた一対の軸部と、を有している。台座は、一対の軸部を回転可能に支持する一対の第１および第２軸受部と、当該一対の第１および第２軸受部を連通接続する一対の連通接続部と、を有している。止め具は、台座を背表紙に取り付けるように構成されている。一対の軸部は、同軸線上に配置されると共に自由端部において対向するように構成されている。一対の第２軸受部は、一対の第１軸受部に並列配置されている。そして、一対の連通接続部は、一対の軸部が一対の第１軸受部と一対の第２軸受部との間を往来可能な通路として構成されている。
【０００９】
本発明によれば、例えば、一対の第１軸受部が見本帳の幅方向の中央に配置されると共に、一対の第２軸受部を見本帳の幅方向の一方の端部（縁部）寄りの位置に配置されるように見本帳用把手を見本帳の背表紙に取り付ける構成とすることによって、見本帳を片手で一冊のみ持ち運ぶ場合には、握り部を一対の第１軸受部で支持させ、見本帳を片手で二冊同時に持ち運ぶ場合には、各見本帳において握り部を一対の第２軸受部で支持させることができる。これにより、見本帳を片手で一冊のみ持ち運ぶ場合には、安定した持ち運び性を確保することができ、見本帳を片手で二冊同時に持ち運ぶ場合には、各見本帳において握り部同士の距離を小さくすることができるため、見本帳が傾いて当該見本帳が広がることを抑制し得る。
【００１０】
本発明に係る見本帳用把手の更なる形態によれば、一対の第１軸受部と一対の連通接続部との第１境界部には、一対の軸部が一対の第１軸受部と連通接続部との間を移動することを規制可能な一対の第１規制部が設けられている。また、一対の第２軸受部と一対の連通接続部との第２境界部には、一対の軸部が一対の第２軸受部と一対の連通接続部との間を移動することを規制可能な一対の第２規制部が設けられている。そして、第１および第２規制部は、弾性を有するように構成されている。
【００１１】
本形態によれば、一対の軸部が一対の第１軸受部によって支持されている状態において、意図せず一対の軸部が一対の連通接続路を介して一対の第２軸受部に移動することを抑制できる。また、これとは逆に、一対の軸部が一対の第２軸受部によって支持されている状態において、意図せず一対の軸部が一対の連通接続路を介して一対の第１軸受部に移動することを抑制できる。
【００１２】
本発明に係る見本帳用把手の更なる形態によれば、連通接続部は、一対の軸部の直径と略同じ大きさの深さを有する凹部として構成されている。そして、一対の第１および第２規制部は、一対の第１および第２規制部において当該凹部の深さが浅くなる方向に突出する突起として構成されている。
【００１３】
本形態によれば、一対の第１および第２規制部を簡易な構成で実現することができる。
【００１４】
本発明に係る見本帳用把手の更なる形態によれば、長尺状の柄主体と、一端が当該柄主体に一体に接続されると共に他端に一対の軸部が一体に設けられた一対の脚部と、を有する略Ｕ字状に構成されている。そして、柄主体は、長手方向に沿う方向の一方側から見た場合に、一対の脚部の延出方向とは反対方向に向かうのに伴って厚みが漸次小さくなる方向に傾斜する傾斜面を有するように構成されている。
【００１５】
本形態によれば、例えば、一対の第１軸受部が見本帳の幅方向の中央に配置され、一対の第２軸受部が見本帳の幅方向の一方の端部（縁部）寄りの位置に配置されるように台座を見本帳の背表紙に取り付けた構成において、柄主体の傾斜面が一対の第２軸受部側を向くように握り部を台座に取付ける構成とすることによって、見本帳を片手で二冊同時に持ち運ぶ際に、各見本帳の柄部を傾斜面同士で重ね合わせることができるため、柄部の厚みが厚くなることを抑制できる。これにより、手に掛かるストレスを低減でき、把持性をより向上することができる。
【００１６】
本発明に係る見本帳用把手の更なる形態によれば、傾斜面は、柄主体を長手方向に沿う方向の一方側から見た場合に、柄主体の厚み方向の両側に設けられている。
【００１７】
本形態によれば、握り部を台座に取り付ける際に傾斜面の向きを考慮する必要がなくなるため、見本帳用把手の組付け性を向上することができる。
【００１８】
本発明に係る見本帳の好ましい形態によれば、見本帳本体と、当該見本帳本体に取付けられ握り部に傾斜面を有するように構成された上述したいずれかの態様の見本帳用把手と、を備える見本帳が構成される。見本帳本体は、背表紙と、当該背表紙の幅方向の一端に一体に接続された表紙と、背表紙の幅方向の他端に一体に接続された裏表紙と、を有している。握り部は、傾斜面が台座の第２軸受部側を向くよう当該台座に取り付けられている。そして、台座は、一対の第１軸受部が背表紙の幅方向の中央に配置されるように取り付けられている。
【００１９】
本発明によれば、握り部に傾斜面を有するように構成された上述したいずれかの態様の本発明に係る見本帳用把手を備える構成であるため、本発明の見本帳用把手が奏する効果と同様の効果、例えば、見本帳を一冊のみ持ち運ぶ場合には、安定した持ち運び性を実現できると共に、見本帳を片手で二冊同時に持ち運ぶ場合には、見本帳の傾きを抑えて見本帳が広がることを抑制できる効果や、見本帳を片手で二冊同時に持ち運ぶ場合に、手に掛かるストレスを低減できて、把持性をより向上することができる効果などと同様の効果を奏することができる。
【発明の効果】
【００２０】
本発明によれば、見本帳を片手で二冊同時に持ち運ぶ際の持ち運び性を向上することができる。
【図面の簡単な説明】
【００２１】
【図１】本発明の実施の形態に係る見本帳１の構成の概略を示す分解斜視図である。
【図２】握り部１２の外観を示す斜視図である。
【図３】握り部１２の構成の概略を示す説明図である。
【図４】図３のＡ−Ａ断面を示す断面図である。
【図５】図３のＢ−Ｂ断面を示す断面図である。
【図６】台座１４の外観を示す斜視図である。
【図７】台座１４の裏面の様子を示す斜視図である。
【図８】台座１４の構成の概略を示す説明図である。
【図９】図８の矢印Ｖ方向から見た側面図である。
【図１０】台座１４を裏面側から見た裏面図である。
【図１１】図１０のＣ−Ｃ断面を示す断面図である。
【図１２】図１０のＤ−Ｄ断面を示す断面図である。
【図１３】図１０のＥ−Ｅ断面を示す断面図である。
【図１４】図１０のＦ−Ｆ断面を示す断面図である。
【図１５】図１０のＧ−Ｇ断面を示す断面図である。
【図１６】図１０のＨ−Ｈ断面を示す断面図である。
【図１７】クリップ１６の構成の概略を示す斜視図である。
【図１８】クリップ１６を上方から見た平面図である。
【図１９】把手１０を見本帳本体２に取り付けた様子を示す説明図である。
【図２０】台座１４をクリップ１６に係合させる直前の様子を示す説明図である。
【図２１】台座１４がクリップ１６に係合された状態を示す説明図である。
【図２２】把手１０を見本帳本体２に取り付けた様子を所いう方から見た平面図である。
【図２３】握り部１２の一対の軸部２４，２４と台座１４の一対の円弧状の切欠き４２ｂ，４２ｂとの嵌合を解除した状態を示す説明図である。
【図２４】握り部１２の一対の軸部２４，２４を台座１４の一対の接続切欠き４４，４４内で一対の円弧状の切欠き４２ａ，４２ａ側に摺動させている状態を示す説明図である。
【図２５】握り部１２の一対の軸部２４，２４を台座１４の一対の円弧状の切欠き４２ａ，４２ａの真下まで摺動させた状態を示す説明図である。
【図２６】握り部１２の一対の軸部２４，２４と台座１４の一対の円弧状の切欠き４２ａ，４２ａとを嵌合させた状態を示す説明図である。
【図２７】握り部１２を背表紙４の裏表紙８寄りの位置に移動させた状態を上方から見た平面図である。
【図２８】見本帳１，１Ａを片手で同時に運ぶ際の様子を示す説明図である。
【図２９】見本帳１，１Ａを片手で同時に運ぶ際の様子を上方から見た平面図である。
【発明を実施するための形態】
【００２２】
次に、本発明を実施するための最良の形態を実施例を用いて説明する。
【実施例】
【００２３】
本発明の実施の形態に係る見本帳１は、図１に示すように、見本帳本体２と、当該見本帳本体２に取り付けられる把手１０と、カタログや書類などを綴じるために見本帳本体２に取り付けられるとじ具８０と、を備えている。見本帳本体２は、背表紙４と、当該背表紙４の長手方向に沿う縁部の一方（幅方向の一端）に一体に接続された表紙６と、背表紙４の長手方向に沿う縁部の他方（幅方向の他端）に一体に接続された裏表紙８と、から構成されており、例えば、紙により構成されている。
【００２４】
背表紙４には、一対の孔４ａ，４ａが背表紙４長手方向に沿って形成されていると共に、一対の孔４ｂ，４ｂが背表紙４長手方向に沿って形成されている。一対の孔４ａ，４ａは、背表紙４の幅方向（長手方向に直交する方向であって図１の左右方向）において裏表紙８寄りに配置されており、一対の孔４ｂ，４ｂは、背表紙４の幅方向（長手方向に直交する方向であって図１の左右方向）の中央に配置されている。一対の孔４ａ，４ａと一対の孔４ｂ，４ｂとは、背表紙４の幅方向（長手方向に直交する方向であって図１の左右方向）に並列配置されている。なお、一対の孔４ａ，４ａおよび一対の４ｂ，４ｂの直径は、後述する台座１４の二組の取付軸部４６ａ，４６ａ，４６ｂ，４６ｂの外径よりも若干大きい内径となるように設定されている。
【００２５】
把手１０は、図１に示すように、握り部１２と、当該握り部１２を支持する台座１４と、当該台座１４を見本帳本体２に固定するためのクリップ１６と、から構成されている。握り部１２は、樹脂により成形されており、図２および図３に示すように、柄部２２と、当該柄部２２に一体に設けられた一対の軸部２４，２４と、から構成されている。柄部２２は、手の親指を除く他の四指の幅以上の長さを有するように構成された柄主体２２ａと、当該柄主体２２ａに略直交するように当該柄主体２２ａに一体にされた一対の起倒用脚２２ｂ，２２ｂと、を有する略Ｕ字状に構成されている。把手１０は、本発明における「見本帳用把手」に対応し、一対の起倒用脚２２ｂ，２２ｂは、本発明における「一対の脚部」に対応する実施構成の一例である。
【００２６】
柄主体２２ａは、図３ないし図５に示すように、当該柄主体２２ａの長手方向（図３の左右方向）の一方側から見た場合に、一対の起倒用脚２２ｂ，２２ｂの延出方向とは反対方向に向かうのに伴って厚みが漸次小さくなる方向に傾斜する一対の傾斜面３２，３２を有している。即ち、柄主体２２ａは、図５に示すように、長手方向に直交する面で切った断面形状が略三角形となるように構成されている。
【００２７】
一対の軸部２４，２４は、図２および図３に示すように、一対の起倒用脚２２ｂ，２２ｂの先端部に一体に設けられている。一対の軸部２４，２４は、一対の起倒用脚２２ｂ，２２ｂの延在方向に対して略直交する方向であって、一対の軸部２４，２４の自由端部（先端部）が互いに近づく方向に延在するように（対向するように）構成されている。なお、一対の軸部２４，２４は、互いに同軸線上に配置されている。
【００２８】
台座１４は、樹脂により成形されており、図６ないし図８に示すように、一方の主面が開口された（取り除かれた）中空の略直方体形状に構成されている。台座１４の長手方向の中央部には、図６ないし図８，図１０に示すように、一対の括れ部１４ａ，１４ａが設けられていると共に、台座１４の四隅部には、図６，図８および図９に示すように、膨出部１４ｂ，１４ｂ，１４ｃ，１４ｃが設けられている。なお、台座１４の長手方向（図６および図７の上下方向）の長さは、握り部１２の一対の起倒用脚２２ｂ，２２ｂの内面（一対の軸部２４，２４が突出形成された面）間寸法よりも小さくなるように構成されていると共に、一対の軸部２４，２４の先端面間寸法よりも大きくなるように構成されている。
【００２９】
膨出部１４ｂ，１４ｂ，１４ｃ，１４ｃの内面は、図８，図１０ないし図１２，図１４および図１５に示すように、膨出部１４ｂ，１４ｂ，１４ｃ，１４ｃの外形に倣う形状に形成されている。即ち、膨出部１４ｂ，１４ｂ，１４ｃ，１４ｃの内部は、膨出部１４ｂ，１４ｂ，１４ｃ，１４ｃの外形に倣った中空部となるように構成されている。膨出部１４ｂ，１４ｂ，１４ｃ，１４ｃの中空部（以下、「内部空間」と言うこともある。）の奥行寸法（台座１４の長手方向に沿う方向の寸法）は、握り部１２の一対の軸部２４，２４の長さ（一対の軸部２４，２４の一対の起倒用脚２２ｂ，２２ｂからの突出量）よりも長くなるように構成されている。即ち、膨出部１４ｂ，１４ｂ，１４ｃ，１４ｃの内部空間は、握り部１２を台座１４に取り付けた際に、一対の軸部２４，２４が収容される収容空間を構成する。
【００３０】
また、台座１４の長手方向に直交する一対の側面それぞれには、図８に示すように、一対の円弧状の切欠き４２ａ，４２ａおよび一対の円弧状の切欠き４２ｂ，４２ｂと、当該一対の円弧状の切欠き４２ａ，４２ａおよび一対の円弧状の切欠き４２ｂ，４２ｂを連通接続する一対の接続切欠き４４，４４と、が形成されている。一対の円弧状の切欠き４２ａ，４２ａ、一対の円弧状の切欠き４２ｂ，４２ｂおよび一対の接続切欠き４４，４４によって、膨出部１４ｂ，１４ｂ，１４ｃ，１４ｃの内部空間を含む台座１４の内部空間が台座１４の長手方向を向く方向に開口されている。一対の円弧状の切欠き４２ａ，４２ａは、本発明における「一対の第２軸受部」に対応し、一対の円弧状の切欠き４２ｂ，４２ｂは、本発明における「一対の第１軸受部」に対応する実施構成の一例である。
【００３１】
一対の円弧状の切欠き４２ａ，４２ａは、膨出部１４ｂ，１４ｂに対応する位置に形成されており、一対の円弧状の切欠き４２ｂ，４２ｂは、膨出部１４ｃ，１４ｃに対応する位置に形成されている。なお、一対の円弧状の切欠き４２ａ，４２ａおよび一対の円弧状の切欠き４２ｂ，４２ｂは、握り部１２の一対の軸部２４，２４の外径と同じか若干大きい径を有するように構成されている。
【００３２】
一対の接続切欠き４４，４４は、図１１および図１６に示すように、台座１４の開口側端面１４ｄ（台座１４の開口された一方の主面側（図１１および図１６の左側）の端面）から一対の接続切欠き４４，４４を構成する内壁面４４ａ，４４ａまでの深さｄが握り部１２の一対の軸部２４，２４の外径と同じか若干大きい値となるように構成されている。
【００３３】
また、一対の円弧状の切欠き４２ａ，４２ａおよび一対の円弧状の切欠き４２ｂ，４２ｂを構成する内壁面４２ａ’，４２ｂ’と一対の接続切欠き４４，４４を構成する内壁面４４ａ，４４ａとの交差部（一対の円弧状の切欠き４２ａ，４２ａおよび一対の円弧状の切欠き４２ｂ，４２ｂと一対の接続切欠き４４，４４との境界部）には、図８に示すように、台座１４の開口された一方の主面側（図１１および図１６の左側）に向かって突出する一対の小突起４５ａ，４５ａおよび一対の小突起４５ｂ，４５ｂが形成されている。一対の小突起４５ａ，４５ａおよび一対の小突起４５ｂ，４５ｂの先端から台座１４の開口側端面１４ｄまでの深さｄ’は、台座１４の開口側端面１４ｄから一対の接続切欠き４４，４４を構成する内壁面４４ａ，４４ａまでの深さｄよりも小さくなる。一対の円弧状の切欠き４２ａ，４２ａと一対の接続切欠き４４，４４との境界部は、本発明における「第２境界部」に対応し、一対の円弧状の切欠き４２ｂ，４２ｂと一対の接続切欠き４４，４４との境界部は、本発明における「第１境界部」に対応する実施構成の一例である。また、一対の小突起４５ａ，４５ａおよび一対の小突起４５ｂ，４５ｂは、それぞれ本発明における「第２規制部」および「第１規制部」に対応する実施構成の一例である。
【００３４】
さらに、台座１４の主面１５の裏側の面には、図７，図９，図１０，図１３および図１６に示すように、二組の取付軸部４６ａ，４６ａ，４６ｂ，４６ｂが立設されている。二組の取付軸部４６ａ，４６ａ，４６ｂ，４６ｂは、図８および図９に示すように、台座１４の開口側端面１４ｄから突出する長さを有するように構成されている。
【００３５】
一対の取付軸部４６ａ，４６ａは、図８および図１０に示すように、台座１４の幅方向（長手方向に直交する方向）の中央に配置されている。より具体的には、一対の取付軸部４６ａ，４６ａの各中心が、台座１４の幅方向（長手方向に直交する方向）の中央を通る幅方向中心線ＣＬ上に配置されている。一対の取付軸部４６ａ，４６ａ間の寸法は、背表紙４に形成された一対の孔４ａ，４ａ間の寸法および一対の孔４ｂ，４ｂ間の寸法と同じとなるように設定されている。
【００３６】
一方、一対の取付軸部４６ｂ，４６ｂは、図８および図１０に示すように、台座１４の幅方向（長手方向に直交する方向）の中央よりも膨出部１４ｃ，１４ｃ（一対の円弧状の切欠き４２ｂ，４２ｂ）寄りの位置に配置されている。より具体的には、一対の取付軸部４６ｂ，４６ｂの各中心が、幅方向中心線ＣＬに対して膨出部１４ｃ，１４ｃ（一対の円弧状の切欠き４２ｂ，４２ｂ）寄りの位置であって、幅方向中心線ＣＬに平行な直線ＳＬ上に配置されている。一対の取付軸部４６ａ，４６ａ間の寸法は、背表紙４に形成された一対の孔４ａ，４ａ間の寸法および一対の孔４ｂ，４ｂ間の寸法と同じとなるように設定されている。なお、本実施の形態では、直線ＳＬは、一対の円弧状の切欠き４２ｂ，４２ｂの各中心を通る直線とした。
【００３７】
また、一対の取付軸部４６ａ，４６ａおよび一対の取付軸部４６ｂ，４６ｂには、図８，図９，図１３および図１４に示すように、二面幅切欠き４７ａ，４７ｂが形成されている。二面幅切欠き４７ａ，４７ｂは、台座１４の長手方向に沿う方向に平行に延在するように構成されている。二面幅切欠き４７ａ，４７ｂは、図１３および図１４に示すように、台座１４の開口側端面１４ｄから距離ｈの位置に形成されている。なお、当該距離ｈは、見本帳本体２の背表紙４の厚みと、後述するクリップ１６の厚みと、とじ具８０（図１９参照）の厚みと、を足し合わせた寸法と同じ大きさか若干大きい寸法となるように設定されている。
【００３８】
クリップ１６は、樹脂製の板状部材として構成されており、図１７および図１８に示すように、第１嵌合部５２と、第２嵌合部５４と、当該第１および第２嵌合部５２，５４を連結する連結部５６と、を有している。クリップ１６は、本発明における「止め具」に対応する実施構成の一例である。
【００３９】
第１嵌合部５２には、図１７および図１８に示すように、略円形状の一対の嵌入孔６２ａ，６２ｂと、当該一対の嵌入孔６２ａ，６２ｂに連続する方形状の一対の嵌合孔６２ｃ，６２ｄと、が設けられている。一対の嵌入孔６２ａ，６２ｂは、二組の取付軸部４６ａ，４６ａ，４６ｂ，４６ｂの外径と同じか若干大きい内径を有するように構成されている。
【００４０】
一対の嵌合孔６２ｃ，６２ｄは、図１７および図１８に示すように、第１嵌合部５２の外郭を構成する枠体５２ａに対して一段下がった段差面５２ｂ，５２ｃに切込みを入れることにより形成されている。段差面５２ｂ，５２ｃの先端部（一対の嵌入孔６２ａ，６２ｂに対向する部分）には、先端に向かうのに伴って板厚が薄くなる方向の傾斜を有する傾斜面５２ｄ,５２ｅが形成されている。また、一対の嵌合孔６２ｃ，６２ｄは、幅寸法ｗ１が二組の取付軸部４６ａ，４６ａ，４６ｂ，４６ｂに設けた二面幅切欠き４７ａ，４７ｂの幅寸法Ｗ（図１３および図１４参照）と同じか若干大きくなるように形成されている。なお、段差面５２ｂ，５２ｃを囲む枠体５２ａの内壁面間の寸法ｗ２は、二組の取付軸部４６ａ，４６ａ，４６ｂ，４６ｂの外径と同じか若干大きい内径を有するように構成されている。
【００４１】
第２嵌合部５４には、図１７および図１８に示すように、方形状の一対の嵌合切欠き６４ａ，６４ｂが設けられている。一対の嵌合切欠き６４ａ，６４ｂは、第２嵌合部５４の外郭を構成する枠体５４ａに対して一段下がった段差面５４ｂ，５４ｃに切込みを入れることにより形成されている。段差面５４ｂ，５４ｃの先端部（自由端部）には、先端に向かうのに伴って板厚が薄くなる方向の傾斜を有する傾斜面５４ｄ,５４ｅが形成されている。なお、段差面５４ｂ，５４ｃのうち外側（クリップ１６の長手方向に沿って延在する一対の側壁寄りの位置）に配置された段差面５４ｂ，５４ｃの先端部には、段差面５４ｂ，５４ｃのうち内側（クリップ１６の長手方向に直交する方向の中央部寄りの位置）に配置された）の段差面５４ｂ，５４ｃに向かって突出する突起部５５ａ，５５ｂが形成されている。
【００４２】
なお、第１嵌合部５２の一対の嵌合孔６２ｃ，６２ｄから第２嵌合部５４の一対の嵌合切欠き６４ａ，６４ｂまでの寸法は、台座１４の一対の取付軸部４６ａ，４６ａ間の寸法および一対の取付軸部４６ｂ，４６ｂ間の寸法にほぼ等しくなるように設定されている。これにより、一対の取付軸部４６ａ，４６ａの一方および一対の取付軸部４６ｂ，４６ｂの一方が第１嵌合部５２の一対の嵌合孔６２ｃ，６２ｄに嵌合された際に、一対の取付軸部４６ａ，４６ａの他方および一対の取付軸部４６ｂ，４６ｂの他方が第２嵌合部５４の一対の嵌合切欠き６４ａ，６４ｂに嵌合されることになる。
【００４３】
また、一対の嵌合切欠き６４ａ，６４ｂは、幅寸法ｗ３が二組の取付軸部４６ａ，４６ａ，４６ｂ，４６ｂに設けた二面幅切欠き４７ａ，４７ｂの幅寸法Ｗ（図１３および図１４参照）と同じか若干大きくなるように形成されている（図１８参照）。なお、一対の嵌合切欠き６４ａ，６４ｂの突起部５５ａ，５５ｂが設けられた部分の幅寸法ｗ４は、幅寸法ｗ３よりも小さくなっている（図１８参照）。また、段差面５４ｂ，５４ｃを囲む枠体５４ａの内壁面間の寸法ｗ５は、二組の取付軸部４６ａ，４６ａ，４６ｂ，４６ｂの外径と同じか若干大きい内径を有するように構成されている（図１８参照）。
【００４４】
とじ具８０は、図１に示すように、背表紙対応面８１ａと、裏表紙対応面８１ｂと、表紙対応面８１ｃと、を有しており、書類やカタログなどを綴じることができるように構成されている。背表紙対応面８１ａには、当該背表紙対応面８１ａの長手方向（図１の上下方向）に沿って一対の貫通孔８０ａ，８０ａ、一対の貫通孔８０ｂ，８０ｂおよび一対の貫通孔８０ｃ，８０ｃが形成されている。
【００４５】
一対の貫通孔８０ａ，８０ａは、背表紙対応面８１ａの幅方向（長手方向に直交する方向であって図１の左右方向）の中央に配置されており、一対の貫通孔８０ｂ，８０ｂは、背表紙対応面８１ａの幅方向（長手方向に直交する方向であって図１の左右方向）において裏表紙対応面８１ｂ寄りに配置されており、一対の貫通孔８０ｃ，８０ｃは、背表紙対応面８１ａの幅方向（長手方向に直交する方向であって図１の左右方向）において表紙対応面８１ｃ寄りに配置されている。
【００４６】
一対の貫通孔８０ａ，８０ａ間、一対の貫通孔８０ｂ，８０ｂ間および一対の貫通孔８０ｃ，８０ｃ間の寸法は、一対の孔，４ａ間および一対の孔４ｂ，４ｂ間の寸法と同じとなるように設定されている。なお、一対の貫通孔８０ａ，８０ａ、一対の貫通孔８０ｂ，８０ｂおよび一対の貫通孔８０ｃ，８０ｃの直径は、４つの孔４ａ，４ａ，４ｂ，４ｂの直径と同じ直径となるように設定されている。
【００４７】
次に、こうして構成された把手１０を見本帳本体２の背表紙４に取付ける際の様子について説明する。まず、握り部１２を台座１４に取付ける。握り部１２の台座１４への取付は、握り部１２の一対の軸部２４，２４を台座１４の一対の円弧状の切欠き４２ｂ，４２ｂに嵌合することにより行う。
【００４８】
そして、握り部１２が取り付けられた状態で、台座１４の一対の取付軸部４６ａ，４６ａおよび一対の取付軸部４６ｂ，４６ｂを、それぞれ背表紙４の一対の孔４ａ，４ａおよび一対の孔４ｂ，４ｂに挿通させる（図１９には一対の孔４ａ，４ａおよび一対の孔４ｂ，４ｂの一方のみが記載されている）。これにより、図１９に示すように、膨出部１４ｃ，１４ｃが背表紙４の幅方向（図１９の左右方向）の中央に配置されると共に、膨出部１４ｂ，１４ｂが裏表紙８寄りに配置される。この結果、台座１４の一対の円弧状の切欠き４２ｂ，４２ｂに嵌合された握り部１２が背表紙４の幅方向（図１９の左右方向）の中央に配置される。
【００４９】
続いて、図１９に示すように、とじ具８０の一対の貫通孔８０ｂ，８０ｂが、背表紙４の内側の面（裏面）から突出した状態の台座１４の一対の取付軸部４６ａ，４６ａに挿通されると共に、とじ具８０の一対の貫通孔８０ａ，８０ａが背表紙４の内側の面（裏面）から突出した状態の台座１４の一対の取付軸部４６ｂ，４６ｂに挿通されるようにして、とじ具８０を背表紙４の内側の面（裏面）に重なるようにセットする（図１９には一対の貫通孔８０ａ，８０ａおよび一対の貫通孔８０ｂ，８０ｂの一方のみが記載されている）。
【００５０】
そして、図２０に示すように、クリップ１６の第１嵌合部５２の嵌入孔６２ｂに、とじ具８０の一対の貫通孔８０ｂ，８０ｂ（図１９には一対の貫通孔８０ｂ，８０ｂの一方のみが記載されている）から突出した状態の台座１４の一対の取付軸部４６ａ，４６ａのうちの一方（図２０における上側の取付軸部４６ａ）を挿通させると共に、クリップ１６の第１嵌合部５２の嵌入孔６２ａに、とじ具８０の一対の貫通孔８０ａ，８０ａ（図１９には一対の貫通孔８０ａ，８０ａの一方のみが記載されている）から突出した状態の台座１４の一対の取付軸部４６ｂ，４６ｂのうちの一方（図２０における上側の取付軸部４６ｂ）を挿通させる。
【００５１】
このとき、台座１４の一対の取付軸部４６ａ，４６ａおよび一対の取付軸部４６ｂ，４６ｂのうちの他方（図２０における下側の取付軸部４６ａ，４６ｂ）は、図２０に示すように、それぞれ第２嵌合部５４の一対の嵌合切欠き６４ｂ，６４ａに対向した位置に配置されている。
【００５２】
当該状態からクリップ１６における第１および第２嵌合部５２，５４の段差面５２ｂ，５２ｃおよび段差面５４ｂ，５４ｃの先端が、それぞれ台座１４の一対の取付軸部４６ｂ，４６ｂおよび一対の取付軸部４６ａ，４６ａに向かう方向（図２０および図２１の下側）にクリップ１６をスライドさせる。これにより、クリップ１６における第１および第２嵌合部５２，５４の一対の嵌合孔６２ｃ，６２ｄおよび一対の嵌合切欠き６４ａ，６４ｂに、それぞれ台座１４の一対の取付軸部４６ｂ，４６ｂおよび一対の取付軸部４６ａ，４６ａの二面幅切欠き４７ｂ，４７ａが係合されて、クリップ１６による台座１４の見本帳本体２への固定が完了する。このとき、台座１４は、図１９および図２２に示すように、背表紙４の裏表紙８寄りの位置に配置されことになり、握り部１２は背表紙４の幅方向（図１９および図２２の左右方向）の中央に配置される。
【００５３】
なお、第１および第２嵌合部５２，５４の一対の嵌合孔６２ｃ，６２ｄおよび一対の嵌合切欠き６４ａ，６４ｂに、台座１４の一対の取付軸部４６ｂ，４６ｂおよび一対の取付軸部４６ａ，４６ａの二面幅切欠き４７ｂ，４７ａが係合された際には、図２１に示すように、第２嵌合部５４の段差面５４ｂ，５４ｃのうち外側（クリップ１６の長手方向に沿って延在する一対の側壁寄りの位置）に配置された段差面５４ｂ，５４ｃの先端部に設けた突起部５５ａ，５５ｂがそれぞれ一対の取付軸部４６ｂ，４６ｂおよび一対の取付軸部４６ａ，４６ａのうちの他方（図２０における下側の取付軸部４６ａ，４６ｂ）の外周面に係合されるため、クリップ１６の台座１４からの離脱が良好に防止され得る。
【００５４】
このように、握り部１２が背表紙４の幅方向（図１９および図２２の左右方向）の中央に配置された状態においては、見本帳１を片手で一冊のみ持ち運ぶ際に、見本帳１の傾きを生じることなく、安定した持ち運び性を実現できる。
【００５５】
次に、こうして構成された見本帳１を片手で同時に二冊持ち運ぶ際の動作について説明する。なお、以下では、説明の便宜上、二冊の見本帳１のうち一冊を見本帳１Ａとして規定する。当該見本帳１Ａは、見本帳１に対して、背表紙４に形成する一対の孔４ａ，４ａの位置を背表紙４の幅方向（長手方向に直交する方向）において表紙６寄りに変えた点を除いて見本帳１と同じ構成をしている。したがって、重複する説明を回避するため、見本帳１Ａの構成のうち見本帳１と同一の構成については同一の符号を付し、その詳細な説明は省略する。
【００５６】
見本帳１Ａでは、台座１４の膨出部１４ｃ，１４ｃが背表紙４の幅方向（図２８の左右方向）の中央に配置されると共に、膨出部１４ｂ，１４ｂが表紙６寄りに配置される。これにより、見本帳１Ａの台座１４は、図２８および図２９に示すように、背表紙４の表紙６寄りの位置に配置されることになる。なお、把手１０を見本帳１Ａの見本帳本体２の背表紙４に取付けた際には、台座１４の一対の円弧状の切欠き４２ｂ，４２ｂ（図２８参照）に嵌合された握り部１２が背表紙４の幅方向（図２８の左右方向）の中央に配置される点は、上述した見本帳１と同様である。
【００５７】
見本帳１，１Ａを同時に持ち運ぶ際には、見本帳１の握り部１２の位置を背表紙４の幅方向の中央の位置から裏表紙８寄りの位置に移動させると共に、見本帳１Ａの握り部１２の位置を背表紙４の幅方向の中央の位置から表紙６寄りの位置に移動させる。即ち、見本帳１および見本帳１Ａの握り部１２，１２の一対の軸部２４，２４を台座１４の一対の円弧状の切欠き４２ｂ，４２ｂに嵌合させた状態から一対の円弧状の切欠き４２ａ，４２ａに嵌合させる状態に変更させる。ここで、握り部１２の位置を変更する操作については、見本帳１と見本帳１Ａとで基本的に同じであるため、以下、見本帳１を中心に説明する。
【００５８】
握り部１２，１２の一対の軸部２４，２４を台座１４の一対の円弧状の切欠き４２ｂ，４２ｂに嵌合させた状態から一対の円弧状の切欠き４２ａ，４２ａに嵌合させる状態に変更させるには、まず、図２３に示すように、握り部１２を背表紙４側に押圧し、握り部１２の一対の軸部２４，２４と台座１４の一対の円弧状の切欠き４２ｂ，４２ｂとの嵌合を解除して、握り部１２の一対の軸部２４，２４を台座１４の一対の接続切欠き４４，４４に移動させる。このとき、一対の円弧状の切欠き４２ｂ，４２ｂを構成する内壁面４２ｂ’，４２ｂ’と一対の接続切欠き４４，４４を構成する内壁面４４ａ，４４ａとの交差部（一対の円弧状の切欠き４２ｂ，４２ｂと一対の接続切欠き４４，４４との境界部）には一対の小突起４５ｂ，４５ｂが形成されているため、握り部１２の一対の軸部２４，２４は、台座１４の一対の円弧状の切欠き４２ａ，４２ａ側（図２３の右側）への摺動が規制されて、一対の接続切欠き４４，４４のうち一対の円弧状の切欠き４２ｂ，４２ｂに対向する位置、即ち、一対の接続切欠き４４，４４のうち台座１４の一対の円弧状の切欠き４２ａ，４２ａの真下の位置に保持される。
【００５９】
このように、一対の小突起４５ｂ，４５ｂを設ける構成とすることによって、握り部１２の一対の軸部２４，２４と台座１４の一対の円弧状の切欠き４２ｂ，４２ｂとの嵌合が意図せず解除されたとしても、握り部１２の一対の軸部２４，２４が自由に台座１４の一対の円弧状の切欠き４２ａ，４２ａ側（図２３の右側）へ摺動されることを抑制し得るため、見本帳１の持ち運び性の低下を良好に抑制し得る。
【００６０】
続いて、図２４に示すように、握り部１２を台座１４の一対の円弧状の切欠き４２ａ，４２ａ側（図２４の右側）に押圧することによって、握り部１２の一対の軸部２４，２４で一対の小突起４５ｂ，４５ｂを弾性変形させながら一対の軸部２４，２４を台座１４の一対の円弧状の切欠き４２ａ，４２ａ側（図２４の右側）に向けて摺動させる。
【００６１】
そして、握り部１２の一対の軸部２４，２４が、一対の円弧状の切欠き４２ａ，４２ａを構成する内壁面４２ａ’，４２ａ’と一対の接続切欠き４４，４４を構成する内壁面４４ａ，４４ａとの交差部（一対の円弧状の切欠き４２ａ，４２ａと一対の接続切欠き４４，４４との境界部）に形成された一対の小突起４５ａ，４５ａに当接したときに、再び、握り部１２を台座１４の一対の円弧状の切欠き４２ａ，４２ａ側（図２４の右側）に押圧して、握り部１２の一対の軸部２４，２４で一対の小突起４５ａ，４５ａを弾性変形させながら一対の軸部２４，２４を一対の接続切欠き４４，４４のうち一対の円弧状の切欠き４２ａ，４２ａに対向する位置、即ち、一対の接続切欠き４４，４４のうち一対の円弧状の切欠き４２ａ，４２ａの真下の位置まで摺動させる（図２５参照）。
【００６２】
最後に、図２６に示すように、握り部１２を背表紙４から離れる方向（図２６の上方）に引っ張ることによって、握り部１２の一対の軸部２４，２４を台座１４の一対の円弧状の切欠き４２ａ，４２ａに嵌合させて、図２６および図２７に示すように、握り部１２の背表紙４の幅方向の中央の位置から裏表紙８寄りの位置への移動が完了する。同様の操作を行うことにより、見本帳１Ａの握り部１２を背表紙４の幅方向の中央の位置から表紙６寄りの位置へ移動させることができる（図２８および図２９参照）。
【００６３】
こうして握り部１２が背表紙４の幅方向の中央の位置から裏表紙８寄りの位置へ移動された見本帳１と、握り部１２が背表紙４の幅方向の中央の位置から表紙６寄りの位置へ移動された見本帳１Ａとを、図２８および図２９に示すように、見本帳１の裏表紙８と見本帳１Ａの表紙６とが互いに対向する位置関係となるように配置することによって、見本帳１，１Ａの握り部１２，１２が互いに近接（隣接）した位置関係となる。
【００６４】
これにより、見本帳１，１Ａの握り部１２，１２が互いに離れた状態、例えば、見本帳１，１Ａの握り部１２，１２のいずれもが背表紙４の幅方向の中央の位置にある状態で握り部１２，１２を握る場合に比べて、持ち手に掛かるストレスを低減でき、把持性を向上することができる。しかも、見本帳１，１Ａのそれぞれが握り部１２，１２の一対の軸部２４，２４付近を支点に互いの背表紙４，４同士が近付く方向に回動（傾斜）して、見本帳１の表紙６および見本帳１Ａの裏表紙８が開いて略扇形状に広がるという不都合を良好に回避することができる。
【００６５】
また、見本帳１，１Ａの握り部１２，１２を同時に握った際に、握り部１２，１２の柄部２２，２２の傾斜面３２，３２が互いに当接する構成であるため、重なり合う握り部１２，１２の柄部２２，２２の厚みの低減を図ることができる。これにより、持ち手に掛かるストレスをより一層低減でき、把持性をより一層向上することができる。
【００６６】
以上説明した本実施の形態に係る見本帳１，１Ａによれば、把手１０，１０の握り部１２，１２を背表紙４，４の幅方向の中央の位置から裏表紙８あるいは表紙６寄りの位置へ移動可能に構成したため、見本帳１，１Ａを片手で同時に持ち運ぶ場合には、各見本帳１，１Ａにおいて握り部１２，１２同士の距離を小さくすることができる。これにより、見本帳１，１Ａを片手で同時に持ち運ぶ場合には、見本帳１，１Ａの傾きを抑えて見本帳１，１Ａが広がることを抑制し得て持ち運び性の向上を図ることができると共に、持ち運ぶ際に手に掛かるストレスを低減し得て把持性の向上を図ることができる。もとより、見本帳１，１Ａを単独で持ち運ぶ場合には、握り部１２，１２を背表紙４，４の幅方向の中央の位置に保持可能な構成であるため、見本帳１，１Ａを単独で持ち運ぶ際の持ち運び性も維持され得る。
【００６７】
また、本実施の形態に係る見本帳１，１Ａによれば、握り部１２，１２の柄部２２，２２が傾斜面３２，３２を有する構成であるため、見本帳１，１Ａを片手で同時に持ち運ぶ際に、各見本帳１，１Ａの柄部２２，２２を傾斜面３２，３２同士で重ね合わせることができる。これにより、柄部２２，２２の厚みが厚くなることを抑制でき、手に掛かるストレスを低減することできる。この結果、把持性をより一層向上することができる。なお、柄部２２，２２の厚み方向両側に傾斜面３２，３２を設ける構成であるため、握り部１２，１２を台座１４，１４に組み付ける際に握り部１２，１２の組付け方向を考慮する必要がない。これにより、組み付け性の向上を図ることができる。
【００６８】
また、本実施の形態に係る見本帳１，１Ａによれば、一対の円弧状の切欠き４２ａ，４２ａおよび一対の円弧状の切欠き４２ｂ，４２ｂを構成する内壁面４２ａ’，４２ｂ’と一対の接続切欠き４４，４４を構成する内壁面４４ａ，４４ａとの交差部（一対の円弧状の切欠き４２ａ，４２ａおよび一対の円弧状の切欠き４２ｂ，４２ｂと一対の接続切欠き４４，４４との境界部）に一対の小突起４５ａ，４５ａおよび一対の小突起４５ｂ，４５ｂを設ける構成であるため、握り部１２，１２の一対の軸部２４，２４と台座１４，１４の一対の円弧状の切欠き４２ａ，４２ａあるいは一対の円弧状の切欠き４２ｂ，４２ｂとの嵌合が意図せず解除されたとしても、握り部１２，１２の一対の軸部２４，２４が自由に台座１４の一対の円弧状の切欠き４２ｂ，４２ｂ側あるいは一対の円弧状の切欠き４２ａ，４２ａ側へ摺動されることを抑制し得る。これにより、見本帳１，１Ａの持ち運び性の低下を良好に抑制し得る。
【００６９】
さらに、本実施の形態に係る見本帳１，１Ａによれば、見本帳本体２を紙製とすると共に、把手１０（握り部１２、台座１４およびクリップ１６）を樹脂製とする構成であるため、使用済みの見本帳本体１，１Ａを産業廃棄物として焼却する際に、煩雑な分別作業が必要なくなり、廃棄作業の手間を低減できると共に廃棄処理に掛かるコストの低減を図ることができる。
【００７０】
本実施の形態では、握り部１２の柄部２２の厚み方向両側に傾斜面３２，３２を設ける構成としたが、傾斜面３２は、握り部１２の柄部２２の厚み方向片側のみに設ける構成としても良い。
【００７１】
本実施形態は、本発明を実施するための形態の一例を示すものである。したがって、本発明は、本実施形態の構成に限定されるものではない。なお、本実施形態の各構成要素と本発明の各構成要素の対応関係を以下に示す。
【符号の説明】
【００７２】
１          見本帳（見本帳）
２          見本帳本体（見本帳本体）
４          背表紙（背表紙）
４ａ        孔
４ｂ        孔
６          表紙（表紙）
８          裏表紙（裏表紙）
１０        把手（見本帳用把手）
１２        握り部（握り部）
１４        台座（台座）
１４ａ      括れ部
１４ｂ      膨出部
１４ｃ      膨出部
１４ｄ      開口側端面
１５        主面
１６        クリップ（止め具）
２２        柄部（柄部）
２２ａ      柄主体（柄主体）
２２ｂ      起倒用脚（脚部）
２４        軸部（軸部）
３２        傾斜面（傾斜面）
４２ａ      円弧状の切欠き（第２軸受部）
４２ａ’    内壁面
４２ｂ      円弧状の切欠き（第１軸受部）
４２ｂ’    内壁面
４４        接続切欠き（連通接続部）
４４ａ      内壁面
４５ａ      小突起（第２規制部、突起）
４５ｂ      小突起（第１規制部、突起）
４６ａ      取付軸部
４６ｂ      取付軸部
４７ａ      二面幅切欠き
４７ｂ      二面幅切欠き
５２        第１嵌合部
５２ａ      枠体
５２ｂ      段差面
５２ｃ      段差面
５２ｄ      傾斜面
５２ｅ      傾斜面
５４        第２嵌合部
５４ａ      枠体
５４ｂ      段差面
５４ｃ      段差面
５４ｄ      傾斜面
５４ｅ      傾斜面
５５ａ      突起部
５５ｂ      突起部
５６        連結部
６２ａ      嵌入孔
６２ｂ      嵌入孔
６２ｃ      嵌合孔
６２ｄ      嵌合孔
６４ａ      嵌合切欠き
６４ｂ      嵌合切欠き
８０        とじ具
８０ａ      貫通孔
８０ｂ      貫通孔
８０ｃ      貫通孔
８１ａ      背表紙対応面
８１ｂ      裏表紙対応面
８１ｃ      表紙対応面
ｄ          深さ
ｄ’        深さ
ＣＬ        幅方向中心線
ＳＬ        直線
ｈ          距離
ｗ１        幅寸法
ｗ２        内壁面間の寸法
ｗ３        幅寸法
ｗ４        幅寸法
Ｗ          幅寸法
ｗ５        内壁面間の寸法
ｈ          距離
【図１】
2019123199.tif 000003
【図２】
2019123199.tif 000004
【図３】
2019123199.tif 000005
【図４】
2019123199.tif 000006
【図５】
2019123199.tif 000007
【図６】
2019123199.tif 000008
【図７】
2019123199.tif 000009
【図８】
2019123199.tif 000010
【図９】
2019123199.tif 000011
【図１０】
2019123199.tif 000012
【図１１】
2019123199.tif 000013
【図１２】
2019123199.tif 000014
【図１３】
2019123199.tif 000015
【図１４】
2019123199.tif 000016
【図１５】
2019123199.tif 000017
【図１６】
2019123199.tif 000018
【図１７】
2019123199.tif 000019
【図１８】
2019123199.tif 000020
【図１９】
2019123199.tif 000021
【図２０】
2019123199.tif 000022
【図２１】
2019123199.tif 000023
【図２２】
2019123199.tif 000024
【図２３】
2019123199.tif 000025
【図２４】
2019123199.tif 000026
【図２５】
2019123199.tif 000027
【図２６】
2019123199.tif 000028
【図２７】
2019123199.tif 000029
【図２８】
2019123199.tif 000030
【図２９】
2019123199.tif 000031